(57)【特許請求の範囲】
【請求項１】
画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、
外部から画像信号が入力される第１のパネル駆動回路が設けられるとともに、
上記第１のパネル駆動回路では、
上記外部からの画像信号が入力される画像信号配線が半導体集積回路に接続され、かつ、その画像信号配線は第１のパネル駆動回路端子まで延長されて第１のパネル駆動回路端子を介して表示パネルに接続されている一方、
上記半導体集積回路に入力された外部からの画像信号は、自己転送機能により上記半導体集積回路から出力され、その出力された画像信号が、第１のパネル駆動回路端子とは異なる第２のパネル駆動回路端子を介して、表示パネルに出力されることを特徴とする表示装置。
【請求項２】
第１のパネル駆動回路では、
画像信号配線の少なくとも片側に、外部からの電源・ＧＮＤを入力するための電源・ＧＮＤ入力配線が配設されて半導体集積回路に接続されているとともに、
上記電源・ＧＮＤ入力配線は、パネル駆動回路内で半導体集積回路の外側に引き回され、さらに第３のパネル駆動回路端子まで延長されて表示パネルに接続されていることを特徴とする請求項１記載の表示装置。
【請求項３】
第１のパネル駆動回路では、
画像信号配線の片方の側に、外部からの電源・ＧＮＤを入力するための他方電源・ＧＮＤ入力配線が配設されているとともに、
上記他方電源・ＧＮＤ入力配線は、半導体集積回路に入力されることなく、第４のパネル駆動回路端子まで延長されて表示パネルに接続されていることを特徴とする請求項２記載の表示装置。
【請求項４】
画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、
複数の半導体集積回路を備え、かつ外部から画像信号が入力される第３のパネル駆動回路が設けられるとともに、
上記第３のパネル駆動回路では、
上記外部からの画像信号が入力される画像信号配線は第一段目半導体集積回路に接続されているとともに、
上記第一段目半導体集積回路に入力された外部からの画像信号が、自己転送機能により上記第一段目半導体集積回路から出力され、その出力された画像信号が第二段目半導体集積回路に入力されている一方、
上記外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に接続されており、
第一段目半導体集積回路に接続された画像信号配線は、第５のパネル駆動回路端子まで延長されて表示パネルに接続されていることを特徴とする表示装置。
【請求項５】
第３のパネル駆動回路では、
画像信号配線の他の片側にも、外部からの電源・ＧＮＤを入力するための他方電源・ＧＮＤ入力配線が配設されているとともに、
上記他方電源・ＧＮＤ入力配線は、第一段目半導体集積回路に入力されることなく、第６のパネル駆動回路端子まで延長されて表示パネルに接続されていることを特徴とする請求項４記載の表示装置。
【請求項６】
それぞれの第一段目半導体集積回路及び第二段目半導体集積回路の搭載位置を平面において段違いにずらすことにより、第一段目半導体集積回路及び第二段目半導体集積回路の横並び状態よりもパネル駆動回路の横幅を小さくしたことを特徴とする請求項４または５に記載の表示装置。
【請求項７】
表示パネルに、請求項１、２又は３記載の表示装置におけるパネル駆動回路を複数個搭載し、
画像信号は１段目のパネル駆動回路に入力されるとともに、この画像信号は２段目以降のパネル駆動回路には第２のパネル駆動回路端子から表示パネルにおけるパネル配線を経由して他のパネル駆動回路における第１のパネル駆動回路端子にそれぞれ入力される一方、
電源・ＧＮＤはそれぞれのパネル駆動回路に直接入力されていることを特徴とする表示装置。
【請求項８】
表示パネルに、請求項３に記載の表示装置における第１のパネル駆動回路を１段目に搭載し、２段目以降には、上記画像信号が第７のパネル駆動回路端子から入力される第２のパネル駆動回路を１個又は複数個搭載し、これ以降、第１のパネル駆動回路と第２のパネル駆動回路とを繰り返し搭載するとともに、
上記第２のパネル駆動回路では、
第７のパネル駆動回路端子から入力される画像信号の画像信号配線が半導体集積回路に接続されているとともに、
上記半導体集積回路に入力された画像信号が、自己転送機能により上記半導体集積回路から出力され、その出力された画像信号の画像信号配線が第８のパネル駆動回路端子まで延びて表示パネルに接続されているとともに、
上記画像信号が入力される第７のパネル駆動回路端子からの画像信号配線の片側に、電源・ＧＮＤを入力するための第９のパネル駆動回路端子とこの第９のパネル駆動回路端子からの電源・ＧＮＤ入力配線とが設けられ、かつこの電源・ＧＮＤ入力配線は、半導体集積回路に接続され、さらに、パネル駆動回路内で半導体集積回路の外側に引き回され、第１０のパネル駆動回路端子まで延長され、表示パネルに接続されており、
画像信号は１段目のパネル駆動回路に入力されるとともに、この画像信号は２段目以降のパネル駆動回路には第８または第２のパネル駆動回路端子から表示パネルにおけるパネル配線を経由して他のパネル駆動回路における第１または第７のパネル駆動回路端子にそれぞれ入力される一方、電源・ＧＮＤは第１のパネル駆動回路に直接入力されて、第２のパネル駆動回路に接続されていることを特徴とする表示装置。
【請求項９】
表示パネルに、請求項４又は６に記載の表示装置におけるパネル駆動回路を複数個搭載し、
画像信号及び電源・ＧＮＤは、それぞれのパネル駆動回路に直接入力されていることを特徴とする表示装置。
【請求項１０】
液晶パネルに、請求項４に記載の表示装置におけるパネル駆動回路又は請求項６に記載の表示装置におけるパネル駆動回路を複数個搭載し、
画像信号は１段目のパネル駆動回路における第一段目半導体集積回路に入力されるとともに、この画像信号は２段目以降のパネル駆動回路には第１１のパネル駆動回路端子から表示パネルにおけるパネル配線を経由して他のパネル駆動回路における第５のパネル駆動回路端子にそれぞれ入力される一方、
電源・ＧＮＤはそれぞれのパネル駆動回路に直接入力されていることを特徴とする表示装置。
【請求項１１】
表示パネルに、請求項５に記載の表示装置における第３のパネル駆動回路又は請求項６に記載の表示装置における第３のパネル駆動回路を１段目に搭載し、１段目以降には請求項５又は６に記載の表示装置における第３のパネル駆動回路と、第４のパネル駆動回路とを繰り返し搭載するとともに、
上記第４のパネル駆動回路は、
複数の半導体集積回路を備え、かつ第１２のパネル駆動回路端子から画像信号が入力されるものであり、
上記第４のパネル駆動回路では、
上記第１２のパネル駆動回路端子から入力される画像信号の画像信号配線が第一段目半導体集積回路に接続されているとともに、
上記第一段目半導体集積回路に入力された画像信号が、自己転送機能により上記第一段目半導体集積回路から出力され、その出力された画像信号が第二段目半導体集積回路に入力されている一方、
上記画像信号が入力される第１２のパネル駆動回路端子からの画像信号配線の片側に、電源・ＧＮＤを入力するための第１３のパネル駆動回路端子とこの第１３のパネル駆動回路端子からの電源・ＧＮＤ入力配線とが設けられ、かつこの電源・ＧＮＤ入力配線は、第一段目半導体集積回路に接続され、パネル駆動回路内で第一段目半導体集積回路の外側に引き回され、第二段目半導体集積回路に入力され、さらに、パネル駆動回路内で第二段目半導体集積回路の外側に引き回され、第１４のパネル駆動回路端子まで延長され、表示パネルに接続されており、
画像信号は１段目のパネル駆動回路における第一段目半導体集積回路に入力されるとともに、この画像信号は２段目以降のパネル駆動回路には第１１または第１５のパネル駆動回路端子から表示パネルにおけるパネル配線を経由して他のパネル駆動回路における第５または第１２のパネル駆動回路端子にそれぞれ入力される一方、
電源・ＧＮＤは、請求項５又は６に記載の表示装置における第３のパネル駆動回路から入力され、第４のパネル駆動回路に接続されていることを特徴とする表示装置。
【請求項１２】
画像信号は、ＲＧＢ信号であることを特徴とする請求項１〜１１のいずれか１項に記載の表示装置。
【請求項１３】
画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、
外部から画像信号が入力される第１のパネル駆動回路が設けられるとともに、
上記第１のパネル駆動回路では、
上記外部からの画像信号が入力される画像信号配線が半導体集積回路に接続され、かつ、その画像信号配線は第１のパネル駆動回路端子まで延長されて第１のパネル駆動回路端子を介して、第１のパネル駆動回路の片側に隣接する第２のパネル駆動回路に接続されている一方、
上記半導体集積回路に入力された外部からの画像信号は、自己転送機能により上記半導体集積回路から出力され、その出力された画像信号が、第１のパネル駆動回路端子とは異なる第２のパネル駆動回路端子を介して、第１のパネル駆動回路の他の片側に隣接する第２のパネル駆動回路に出力されることを特徴とする表示装置。
【請求項１４】
画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、
複数の半導体集積回路を備え、かつ外部から画像信号が入力される第３のパネル駆動回路が設けられるとともに、
上記第３のパネル駆動回路では、
上記外部からの画像信号が入力される画像信号配線は第一段目半導体集積回路に接続されているとともに、
上記第一段目半導体集積回路に入力された外部からの画像信号が、自己転送機能により上記第一段目半導体集積回路から出力され、その出力された画像信号が第二段目半導体集積回路に入力されている一方、
上記外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に接続されており、
第一段目半導体集積回路に入力された画像信号配線は、第５のパネル駆動回路端子まで延長されて、第３のパネル駆動回路の片側に隣接する第４のパネル駆動回路に接続されていることを特徴とする表示装置。
【請求項１５】
画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路において、
上記外部からの画像信号が入力される画像信号配線が半導体集積回路に接続され、かつ、その画像信号配線は第１のパネル駆動回路端子まで延長されて第１のパネル駆動回路端子を介してパネル駆動回路の片側に隣接する他のパネル駆動回路に接続されている一方、
上記半導体集積回路に入力された外部からの画像信号は、自己転送機能により上記半導体集積回路から出力され、その出力された画像信号が、第１のパネル駆動回路端子とは異なる第２のパネル駆動回路端子からパネル駆動回路の他の片側に隣接する他のパネル駆動回路に出力されることを特徴とするパネル駆動回路。
【請求項１６】
画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路において、
複数の半導体集積回路を備え、かつ外部から画像信号が入力される第３のパネル駆動回路が設けられるとともに、
上記第３のパネル駆動回路では、
上記外部からの画像信号が入力される画像信号配線は第一段目半導体集積回路に接続されているとともに、
上記第一段目半導体集積回路に入力された外部からの画像信号が、自己転送機能により上記第一段目半導体集積回路から出力され、その出力された画像信号が第二段目半導体集積回路に入力されている一方、
上記外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に接続されており、
第一段目半導体集積回路に入力された画像信号配線は、第５のパネル駆動回路端子まで延長されて第３のパネル駆動回路の片側に隣接する他のパネル駆動回路に接続されていることを特徴とするパネル駆動回路。
【発明の詳細な説明】
【０００１】
【発明の属する技術分野】
本発明は、ＲＧＢ信号等の画像信号を半導体集積回路に入力し、かつ、その半導体集積回路から該画像信号を出力する機能を有する自己転送機能付半導体集積回路をフレキシブルフィルム上にボンディングしたチップオンフィルム構造の液晶駆動ドライバ等のパネル駆動回路、およびそれを複数個備えた液晶表示装置等の表示装置に関するものである。
【０００２】
【従来の技術】
従来、液晶表示装置における液晶パネルと駆動ＩＣ（Integrated Circuit：半導体集積回路）との実装構造としてＴＣＰ(Tape Carrier Package)方式が主に採用されていた。
【０００３】
このＴＣＰ方式の液晶表示装置５００は、例えば、図１６（ａ）に示すように、液晶パネル５０１の周縁に液晶パネル５０１のゲート信号線又はソース信号線に信号を供給するためのゲートＴＣＰ５０２…又はソースＴＣＰ５０３…と、各ゲートＴＣＰ５０２…又はソースＴＣＰ５０３…に外部信号を供給するための外部回路基板５０４・５０４とを備えてなっている。
【０００４】
また、各ゲートＴＣＰ５０２…又はソースＴＣＰ５０３…は、図１６（ｂ）に示すように、フレキシブル基材５０６上に液晶駆動用ＩＣ５０５と、この液晶駆動用ＩＣ５０５に画像データ信号、ＩＣ駆動用電源電圧、対向電極駆動用電源電圧等の外部信号を供給するための信号入力配線５０７と、液晶駆動用ＩＣ５０５から出力された信号を液晶パネル５０１へ供給するための信号出力配線５０８とを備えている。
【０００５】
上記各ゲートＴＣＰ５０２…又はソースＴＣＰ５０３…の信号入力配線５０７は液晶パネル５０１の外部にあるＰＷＢ（Printed Wiring Board）からなる外部回路基板５０４上の端子と電気的に接続されており、外部回路基板５０４上の端子から外部信号を液晶駆動用ＩＣ５０５に導入している。
【０００６】
ところで、このＴＣＰ方式の液晶表示装置５００は、図１７に示すように、信号を外部回路基板５０４から例えば各ソースＴＣＰ５０３…へ直接個別に入力する方式であるため、外部回路基板５０４上では非常に多くの配線が必要となる。
【０００７】
このため、外部回路基板５０４を多層構造とする等のことが行なわれており、製造工程の複雑化、コストアップ、信頼性の低下等の不具合が生じている。
【０００８】
そこで、上記方式に対し、近年では一旦、一つのＴＣＰへ入力した信号を順次隣接するＴＣＰへ伝搬させていくという、所謂「信号伝搬方式」が導入されてきている。この方式については、例えば、特開平４−３１３７３１号公報、実開平３−１１４８２０号及び特開平１０−２１４８５８号公報等に開示されている。
【０００９】
上記公報に記載された信号伝搬方式と同種のソースＴＣＰの構成は以下の通りである。
【００１０】
すなわち、図１８に示すように、ＴＣＰ６０１上に液晶駆動用ＩＣ６０２と、１段目の液晶駆動用ＩＣ６０２に外部信号を入力するための信号入力配線６０３と、各液晶駆動用ＩＣ６０２から液晶パネル６０４ヘ映像信号を供給するための信号出力配線６０５…と、さらに隣接する各ＴＣＰ６０１…に液晶駆動信号を出力するための中継配線６０６とが搭載されている。なお、ＴＣＰ６０１の下部の配線の引回しは図１９に示すように行なわれる。
【００１１】
上記の液晶表示装置では、先ず、外部回路基板６０７からの外部信号が信号入力配線６０３を介して第１の液晶駆動用ＩＣ６０２に供給されると、この信号に応じた映像信号が第１の液晶駆動用ＩＣ６０２及び信号出力配線６０５を経て液晶パネル６０４に送られる。
【００１２】
他方、第１のＴＣＰ６０１に入力された外部信号のうちの一部が第１のＴＣＰ６０１から中継配線６０６へ導入され、液晶パネル６０４上の接続配線６０８を介して隣り合う第２のＴＣＰ６０１上の信号入力配線６０３に供給される。
【００１３】
したがって、外部回路基板６０７から、一旦、信号が第１のＴＣＰ６０１へ入力されると、その一部が各ＴＣＰ６０１…の液晶駆動用ＩＣ６０２を経て液晶パネル６０４の絵素へ出力され、その他の信号が各ＴＣＰ６０１…上の中継配線６０６…及び液晶パネル６０４の基板上の接続配線６０８を介して順次、隣接するＴＣＰ６０１…へ伝搬されるようになっている。
【００１４】
このような、中継配線６０６…による信号伝搬方式の液晶表示装置では、中継配線６０６…を用いない方式に比べて、外部回路基板６０７から各ＴＣＰ６０１…への入力に必要な配線数を大幅に削減することが可能なため、外部回路基板６０７のコストダウンには有効な方式となっている。すなわち、上記外部回路基板６０７では、通常、その配線数が多いため、多層にする等のことが行なわれている。したがって、配線数が少ないということは、その多層の数を減らすことができるので、外部回路基板６０７のコストダウンを図ることが可能となる。
【００１５】
上記特開平４−３１３７３１号公報及び実開平３−１１４８２０号公報においても、各ＴＣＰに順次信号を伝搬させるために液晶パネルの周縁部全域にわたり何度も屈曲しながら縦走するバスラインを設けることにより、外部回路基板が不要であることを示唆している。
【００１６】
【発明が解決しようとする課題】
しかしながら、上記従来信号伝搬方式の液晶表示装置では、第１のＴＣＰから最後のＴＣＰまで中継配線にて接続していくため、バスラインが非常に長いものとなる。その結果、配線の高抵抗化を招いている。また、一般的に、液晶パネル上の配線はガラス基板上に形成する必要があり、外部回路基板やＴＣＰ上の配線と比較して配線抵抗値が非常に高いものを使わざるを得ない。そのため、さらなる配線の高抵抗化、及びそれを原因とする信号の伝搬遅延等の問題を引き起こしている。
【００１７】
また、上記公報の液晶表示装置においては、導入する信号については言及されておらず、実用上問題が生じてくる。特に、ＴＣＰ上の液晶駆動用ＩＣを駆動するための電源電圧や対向電極を駆動するための電源電圧等は抵抗による電圧降下が大きいと動作上問題が生じてくることがあり、それを防ぐために低抵抗の下で伝搬させる必要がある。
【００１８】
そこで、このような信号については実際には、図２０（ａ）に示すように、外部回路基板７０４を備えなければならず、その外部回路基板７０４から各ゲートＴＣＰ７０２…又はソースＴＣＰ７０３…に対してそれぞれ個別に入力しなければならなかった。
【００１９】
なお、特開平１０−２１４８５８号公報には、液晶駆動用ＩＣ７０５を駆動するための電源電圧用配線であるＩＣ駆動用配線７０６及び対向電極電圧用配線７０７等の電源線がＴＣＰ７０３の両側端まで延びていることが開示されている。
【００２０】
したがって、例えば、それを隣接間のＴＣＰ７０３・７０３同士で端子接続部７０８により接続すれば、図２０（ｂ）に示すように、上記外部回路基板７０４を削減することが可能である。
【００２１】
しかしながら、上記公報では、対向電極電圧用配線７０７のように、液晶駆動用ＩＣ７０５に入力する必要はないが、液晶表示パネル７０１の絵素部に出力するための信号をＴＣＰ７０３上で伝搬する配線の構成については、一切開示されていないため、そのような信号を用いる場合、実施上不具合を招くものである。
【００２２】
また、上記公報に開示されたＴＣＰ７０３は、接続端子部７０８・７０８がＴＣＰ７０３の一辺の一筋だけではなく、二筋に沿って設けられている構成であるために、液晶表示パネル７０１との接続時に異方性導電テープの貼付工程が複雑化するという不具合が生じている。
【００２３】
本発明は、上記従来の問題点に鑑みなされたものであって、その目的は、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することにある。
【００２４】
【課題を解決するための手段】
本発明の表示装置は、上記課題を解決するために、画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、外部から画像信号が入力される第１のパネル駆動回路が設けられるとともに、上記第１のパネル駆動回路では、上記外部からの画像信号が入力される画像信号配線が半導体集積回路に接続され、かつ、その画像信号配線は第１のパネル駆動回路端子まで延長されて第１のパネル駆動回路端子を介して表示パネルに接続されている一方、上記半導体集積回路に入力された外部からの画像信号は、自己転送機能により上記半導体集積回路から出力され、その出力された画像信号が、第１のパネル駆動回路端子とは異なる第２のパネル駆動回路端子を介して、表示パネルに出力されることを特徴としている。
【００２５】
上記の発明によれば、表示装置は、画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えている。
【００２６】
ここで、本発明では、外部から画像信号が入力される第１のパネル駆動回路が設けられている。
【００２７】
この第１のパネル駆動回路では、先ず、外部からの画像信号が入力される画像信号配線は半導体集積回路に接続される。また、その画像信号配線は、第１のパネル駆動回路端子まで延長されて表示パネルに接続されている。これにより、外部から入力される画像信号を、半導体集積回路に入力できるとともに、第１のパネル駆動回路端子を介して表示パネルに出力することができる。このことは、外部から入力される画像信号を、第１のパネル駆動回路の半導体集積回路に入力するとともに、第１のパネル駆動回路の例えば右側に隣接する他のパネル駆動回路に接続できることを意味する。
【００２８】
一方、この第１のパネル駆動回路では、半導体集積回路に入力された外部からの画像信号は、自己転送機能により上記半導体集積回路から出力され、その出力された画像信号が、第１のパネル駆動回路端子とは異なる第２のパネル駆動回路端子を介して、表示パネルに出力される。このことは、外部から入力される画像信号を、第１のパネル駆動回路の例えば左側に隣接する他のパネル駆動回路に接続できることを意味する。
【００２９】
この結果、第１のパネル駆動回路では、画像信号を外部から入力して半導体集積回路に入力させるとともに、この第１のパネル駆動回路の左右に隣接するパネル駆動回路における半導体集積回路のいずれにも画像信号を出力できることになる。このため、外部回路基板を用いなくても、画像信号を隣接するパネル駆動回路間同士で入出力していくことによって、各パネル駆動回路に画像信号を供給することができる。これにより、この第１のパネル駆動回路を数カ所に搭載することによって、他のパネル駆動回路に画像信号を供給することができる。
【００３０】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができる。
【００３１】
また、本発明の表示装置は、上記記載の表示装置において、第１のパネル駆動回路では、画像信号配線の少なくとも片側に、外部からの電源・ＧＮＤを入力するための電源・ＧＮＤ入力配線が配設されて半導体集積回路に接続されているとともに、上記電源・ＧＮＤ入力配線は、パネル駆動回路内で半導体集積回路の外側に引き回され、さらに第３のパネル駆動回路端子まで延長されて表示パネルに接続されていることを特徴としている。
【００３２】
上記の発明によれば、第１のパネル駆動回路では、画像信号配線の少なくとも片側に、外部からの電源・ＧＮＤを入力するための電源・ＧＮＤ入力配線が配設されて半導体集積回路に接続されているとともに、上記電源・ＧＮＤ入力配線は、パネル駆動回路内で半導体集積回路の外側に引き回され、さらに第３のパネル駆動回路端子まで延長されて表示パネルに接続されている。
【００３３】
このため、この第１のパネル駆動回路にて、電源・ＧＮＤを外部から入力して、半導体集積回路に供給することができる。また、外部からの電源・ＧＮＤ入力配線は、パネル駆動回路内で半導体集積回路の外側に引き回され、さらに第３のパネル駆動回路端子まで延長されて表示パネルに接続されているので、表示パネルの例えばパネル配線を通して隣接するパネル駆動回路の半導体集積回路に電源・ＧＮＤを供給することができる。
【００３４】
これにより、この第１のパネル駆動回路を数カ所に搭載することによって、他のパネル駆動回路に電源・ＧＮＤを供給することができる。そして、このような接続方法であれば、低抵抗で配線する必要のある電源・ＧＮＤにおいても、問題なく配線することができる。
【００３５】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができる。
【００３６】
また、本発明の表示装置は、上記記載の表示装置において、第１のパネル駆動回路では、画像信号配線の片方の側に、外部からの電源・ＧＮＤを入力するための他方電源・ＧＮＤ入力配線が配設されているとともに、上記他方電源・ＧＮＤ入力配線は、半導体集積回路に入力されることなく、第４のパネル駆動回路端子まで延長されて表示パネルに接続されていることを特徴としている。
【００３７】
上記の発明によれば、第１のパネル駆動回路では、画像信号配線の片方の側に、外部からの電源・ＧＮＤを入力するための他方電源・ＧＮＤ入力配線が配設されているとともに、上記他方電源・ＧＮＤ入力配線は、半導体集積回路に入力されることなく、パネル駆動回路端子群の内の一つのパネル駆動回路端子まで延長されて表示パネルに接続されている。
【００３８】
このため、他方電源・ＧＮＤ入力配線は、半導体集積回路に入力されることなく、パネル駆動回路端子群の内の一つのパネル駆動回路端子まで延長されて表示パネルに接続されているので、この他方電源・ＧＮＤ入力配線を用いて、隣接する例えばゲート用のパネル駆動回路に電源・ＧＮＤを供給することができる。
【００３９】
また、本発明の表示装置は、上記記載の表示装置において、上記画像信号が第７のパネル駆動回路端子から入力される第２のパネル駆動回路が設けられるとともに、上記第２のパネル駆動回路では、上記第７のパネル駆動回路端子から入力される画像信号の画像信号配線が半導体集積回路に接続されているとともに、上記半導体集積回路に入力された画像信号が、自己転送機能により上記半導体集積回路から出力され、その出力された画像信号の画像信号配線が第８のパネル駆動回路端子まで延びて表示パネルに接続されているとともに、上記画像信号が入力される第７のパネル駆動回路端子からの画像信号配線の片側に、電源・ＧＮＤを入力するための第９のパネル駆動回路端子とこの第９のパネル駆動回路端子からの電源・ＧＮＤ入力配線とが設けられ、かつこの電源・ＧＮＤ入力配線は、半導体集積回路に接続され、さらに、パネル駆動回路内で半導体集積回路の外側に引き回され、第１０のパネル駆動回路端子まで延長され、表示パネルに接続されていることを特徴としている。
【００４０】
上記の発明によれば、画像信号が第７のパネル駆動回路端子から入力される第２のパネル駆動回路が設けられる。
【００４１】
この第２のパネル駆動回路では、第７のパネル駆動回路端子から入力される画像信号の画像信号配線が半導体集積回路に接続されている。したがって、隣接するパネル駆動回路から出力された画像信号を当該第２のパネル駆動回路に入力して半導体集積回路に入力させることができる。
【００４２】
一方、半導体集積回路に入力された画像信号が、自己転送機能により上記半導体集積回路から出力され、その出力された画像信号の画像信号配線が第８のパネル駆動回路端子まで延びて表示パネルに接続されている。このため、一方の側のパネル駆動回路から入力された画像信号を自己転送機能を用いて他方の側のパネル駆動回路に供給することができる。
【００４３】
さらに、本発明では、画像信号が入力される第７のパネル駆動回路端子からの画像信号配線の片側に、電源・ＧＮＤを入力するための第９のパネル駆動回路端子とこの第９のパネル駆動回路端子からの電源・ＧＮＤ入力配線とが設けられ、かつこの電源・ＧＮＤ入力配線は、半導体集積回路に接続され、さらに、パネル駆動回路内で半導体集積回路の外側に引き回され、第１０のパネル駆動回路端子まで延長され、表示パネルに接続されている。
【００４４】
このため、一方の側のパネル駆動回路から入力された電源・ＧＮＤをこの第２のパネル駆動回路に入力するとともに、他方の側のパネル駆動回路に供給することができる。この結果、前記第１のパネル駆動回路の間に搭載するパネル駆動回路として使用することにより、全体として全ての表示パネルのパネル駆動回路として成立させることができる。
【００４５】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができる。
【００４６】
また、本発明の表示装置は、上記課題を解決するために、画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、複数の半導体集積回路を備え、かつ外部から画像信号が入力される第３のパネル駆動回路が設けられるとともに、上記第３のパネル駆動回路では、上記外部からの画像信号が入力される画像信号配線は第一段目半導体集積回路に接続されているとともに、上記第一段目半導体集積回路に入力された外部からの画像信号が、自己転送機能により上記第一段目半導体集積回路から出力され、その出力された画像信号が第二段目半導体集積回路に入力されている一方、上記外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に接続されており、第一段目半導体集積回路に接続された画像信号配線は、第５のパネル駆動回路端子まで延長されて表示パネルに接続されていることを特徴としている。
【００４７】
上記の発明によれば、第３のパネル駆動回路は、複数の半導体集積回路を備えている。このため、各自己転送機能付半導体集積回路の両者間の接続においては、第３のパネル駆動回路内で配線を引き回さなくても、最短距離にて接続することが可能である。したがって、第３のパネル駆動回路内の複数の半導体集積回路における接続抵抗を小さくすることができる。また、第３のパネル駆動回路が複数の半導体集積回路を備えていることによって、１個の半導体集積回路を備えたものに比べて、表示パネルと接続する端子数を削減することができるので、高精細化にも対応することができる。
【００４８】
また、本発明では、外部からの画像信号が入力される画像信号配線は第一段目半導体集積回路に接続されている。このため、この第３のパネル駆動回路により、外部から画像信号を入力することができる。
【００４９】
さらに、本発明では、第一段目半導体集積回路に入力された外部からの画像信号が、自己転送機能により上記第一段目半導体集積回路から出力され、その出力された画像信号が第二段目半導体集積回路に入力されている。このため、第一段目半導体集積回路及び第二段目半導体集積回路を介して自己転送機能により隣接するパネル駆動回路に画像信号を供給することが可能となる。
【００５０】
一方、本発明では、外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に入力されている。
【００５１】
したがって、この第３のパネル駆動回路により、外部から電源・ＧＮＤを入力することができるとともに、この入力された電源・ＧＮＤを第一段目半導体集積回路及び第一段目半導体集積回路に供給することができる。
【００５２】
さらに、上記の発明によれば、第３のパネル駆動回路では、第一段目半導体集積回路に接続された画像信号配線は、第５のパネル駆動回路端子まで延長されて表示パネルに接続されている。
【００５３】
このため、第一段目半導体集積回路に近いパネル駆動回路にも画像信号を供給することができる。
【００５４】
また、本発明の表示装置は、上記記載の表示装置において、第３のパネル駆動回路では、画像信号配線の他の片側にも、外部からの電源・ＧＮＤを入力するための他方電源・ＧＮＤ入力配線が配設されているとともに、他方電源・ＧＮＤ入力配線は、第一段目半導体集積回路に入力されることなく、第６のパネル駆動回路端子まで延長されて表示パネルに接続されていることを特徴としている。
【００５５】
上記の発明によれば、第３のパネル駆動回路では、画像信号配線の他の片側にも、外部からの電源・ＧＮＤを入力するための他方電源・ＧＮＤ入力配線が配設されているとともに、他方電源・ＧＮＤ入力配線は、第一段目半導体集積回路に入力されることなく、パネル駆動回路端子群の内の一つのパネル駆動回路端子まで延長されて表示パネルに接続されている。
【００５６】
このため、外部からの電源・ＧＮＤを入力するための他方電源・ＧＮＤ入力配線は、第一段目半導体集積回路に入力されることなく、第６のパネル駆動回路端子まで延長されて表示パネルに接続されているので、この他方電源・ＧＮＤ入力配線を用いて、隣接する例えばゲート用のパネル駆動回路に電源・ＧＮＤを供給することができる。
【００５７】
また、本発明の表示装置は、上記記載の表示装置において、画像信号を半導体集積回路に入力し、かつ、その半導体集積回路から該画像信号を出力する機能を有する自己転送機能付半導体集積回路をフレキシブルフィルム上にボンディングしたチップオンフィルム構造のパネル駆動回路を複数個備えた表示装置において、複数の半導体集積回路を備え、かつ第１２のパネル駆動回路端子から画像信号が入力される第４のパネル駆動回路が設けられるとともに、上記第４のパネル駆動回路では、上記第１２のパネル駆動回路端子から入力される画像信号の画像信号配線が第一段目半導体集積回路に接続されているとともに、上記第一段目半導体集積回路に入力された画像信号が、自己転送機能により上記第一段目半導体集積回路から出力され、その出力された画像信号が第二段目半導体集積回路に入力されている一方、上記画像信号が入力される第１２のパネル駆動回路端子からの画像信号配線の片側に、電源・ＧＮＤを入力するための第１３のパネル駆動回路端子とこの第１３のパネル駆動回路端子からの電源・ＧＮＤ入力配線とが設けられ、かつこの電源・ＧＮＤ入力配線は、第一段目半導体集積回路に接続され、さらに、パネル駆動回路内で第一段目半導体集積回路の外側に引き回され、第二段目半導体集積回路に入力され、さらに、パネル駆動回路内で第二段目半導体集積回路の外側に引き回され、第１４のパネル駆動回路端子まで延長され、表示パネルに接続されていることを特徴としている。
【００５８】
上記の発明によれば、第４のパネル駆動回路は複数の半導体集積回路を備えている。このため、各自己転送機能付半導体集積回路の両者間の接続においては、第４のパネル駆動回路内で配線を引き回さなくても、最短距離にて接続することが可能である。したがって、第４のパネル駆動回路内の複数の半導体集積回路における接続抵抗を小さくすることができる。また、第４のパネル駆動回路が複数の半導体集積回路を備えていることによって、１個の半導体集積回路を備えたものに比べて、表示パネルと接続する端子数を削減することができるので、高精細化にも対応することができる。
【００５９】
また、本発明では、第４のパネル駆動回路では、上記第１２のパネル駆動回路端子から入力される画像信号の画像信号配線が第一段目半導体集積回路に接続されているとともに、上記第一段目半導体集積回路に入力された画像信号が、自己転送機能により上記第一段目半導体集積回路から出力され、その出力された画像信号が第二段目半導体集積回路に入力されている。
【００６０】
このため、第一段目半導体集積回路に入力された画像信号を第二段目半導体集積回路に供給することができる。
【００６１】
一方、本発明では、画像信号が入力される第１２のパネル駆動回路端子からの画像信号配線の片側に、電源・ＧＮＤを入力するための第１３のパネル駆動回路端子とこの一つのパネル駆動回路端子からの電源・ＧＮＤ入力配線とが設けられ、かつこの電源・ＧＮＤ入力配線は、第一段目半導体集積回路に接続され、さらに、パネル駆動回路内で第一段目半導体集積回路の外側に引き回され、第二段目半導体集積回路に入力され、さらに、パネル駆動回路内で第二段目半導体集積回路の外側に引き回され、第１４のパネル駆動回路端子まで延長され、表示パネルに接続されている。
【００６２】
このため、第４のパネル駆動回路内において、電源・ＧＮＤを第一段目半導体集積回路及び第二段目半導体集積回路に供給することができ、さらに、第二段目半導体集積回路側に隣接するパネル駆動回路にも電源・ＧＮＤを供給することが可能となる。
【００６３】
また、本発明の表示装置は、上記記載の表示装置において、それぞれの第一段目半導体集積回路及び第二段目半導体集積回路の搭載位置を平面において段違いにずらすことにより、第一段目半導体集積回路及び第二段目半導体集積回路の横並び状態よりもパネル駆動回路の横幅を小さくしたことを特徴としている。
【００６４】
上記の発明によれば、それぞれの第一段目半導体集積回路及び第二段目半導体集積回路の搭載位置を平面において段違いにずらすことにより、第一段目半導体集積回路及び第二段目半導体集積回路の横並び状態よりもパネル駆動回路の横幅を小さくしている。
【００６５】
このため、モジュールサイズの縮小及び軽量化を実現し得る表示装置を提供することができる。
【００６６】
また、本発明の表示装置は、上記課題を解決するために、表示パネルに、請求項１、２又は３記載の表示装置におけるパネル駆動回路を複数個搭載し、画像信号は１段目のパネル駆動回路に入力されるとともに、この画像信号は２段目以降のパネル駆動回路には第２のパネル駆動回路端子から表示パネルにおけるパネル配線を経由して他のパネル駆動回路における第１のパネル駆動回路端子にそれぞれ入力される一方、電源・ＧＮＤはそれぞれのパネル駆動回路に直接入力されていることを特徴としている。
【００６７】
上記の発明によれば、請求項１、２又は３記載の表示装置におけるパネル駆動回路を複数個搭載した全体構成のパネル駆動回路群を形成することができる。
【００６８】
また、画像信号は１段目のパネル駆動回路に入力されるとともに、この画像信号は２段目以降のパネル駆動回路には第２のパネル駆動回路端子から表示パネルにおけるパネル配線を経由して他のパネル駆動回路における第１のパネル駆動回路端子にそれぞれ入力される一方、電源・ＧＮＤはそれぞれのパネル駆動回路に直接入力されている。
【００６９】
このため、請求項１、２又は３記載の表示装置におけるパネル駆動回路のいずれかから画像信号及び電源・ＧＮＤを入力することができる。
【００７０】
また、本発明の表示装置は、上記課題を解決するために、表示パネルに、請求項３に記載の表示装置における第１のパネル駆動回路を１段目に搭載し、２段目以降には、上記画像信号が第７のパネル駆動回路端子から入力される第２のパネル駆動回路を１個又は複数個搭載し、これ以降、第１のパネル駆動回路と第２のパネル駆動回路とを繰り返し搭載するとともに、上記第２のパネル駆動回路では、第７のパネル駆動回路端子から入力される画像信号の画像信号配線が半導体集積回路に接続されているとともに、上記半導体集積回路に入力された画像信号が、自己転送機能により上記半導体集積回路から出力され、その出力された画像信号の画像信号配線が第８のパネル駆動回路端子まで延びて表示パネルに接続されているとともに、上記画像信号が入力される第７のパネル駆動回路端子からの画像信号配線の片側に、電源・ＧＮＤを入力するための第９のパネル駆動回路端子とこの第９のパネル駆動回路端子からの電源・ＧＮＤ入力配線とが設けられ、かつこの電源・ＧＮＤ入力配線は、半導体集積回路に接続され、さらに、パネル駆動回路内で半導体集積回路の外側に引き回され、第１０のパネル駆動回路端子まで延長され、表示パネルに接続されており、画像信号は１段目のパネル駆動回路に入力されるとともに、この画像信号は２段目以降のパネル駆動回路には第８または第２のパネル駆動回路端子から表示パネルにおけるパネル配線を経由して他のパネル駆動回路における第１または第７のパネル駆動回路端子にそれぞれ入力される一方、電源・ＧＮＤは請求項３に記載の表示装置における第１のパネル駆動回路に直接入力されて、第２のパネル駆動回路に接続されていることを特徴としている。
【００７１】
上記の発明によれば、表示パネルに、請求項３に記載の表示装置における第１のパネル駆動回路を１段目に搭載し、２段目以降には第２のパネル駆動回路を１個又は複数個搭載し、これ以降、第１のパネル駆動回路と第２のパネル駆動回路とを繰り返し搭載するという全体構成のパネル駆動回路群を形成することができる。
【００７２】
また、画像信号は１段目のパネル駆動回路に入力されるとともに、この画像信号は２段目以降のパネル駆動回路には第８または第２のパネル駆動回路端子から表示パネルにおけるパネル配線を経由して他のパネル駆動回路における第１または第７のパネル駆動回路端子にそれぞれ入力される一方、電源・ＧＮＤは請求項３に記載の表示装置における第１のパネル駆動回路に直接入力されて、第２のパネル駆動回路に接続されている。
【００７３】
このため、請求項３に記載の表示装置における第１のパネル駆動回路と第２のパネル駆動回路とを繰り返し搭載することによって、画像信号及び電源・ＧＮＤを全てのパネル駆動回路の半導体集積回路に供給することができる。
【００７４】
したがって、確実に、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができる。
【００７５】
また、本発明の表示装置は、上記課題を解決するために、表示パネルに、請求項４又は６に記載の表示装置におけるパネル駆動回路を複数個搭載し、画像信号及び電源・ＧＮＤは、それぞれのパネル駆動回路に直接入力されていることを特徴としている。
【００７６】
上記の発明によれば、表示パネルに、請求項４又は６に記載の表示装置におけるパネル駆動回路を複数個搭載するという全体構成のパネル駆動回路群を形成することができる。
【００７７】
また、画像信号及び電源・ＧＮＤは、それぞれのパネル駆動回路に直接入力されている。
【００７８】
このため、画像信号及び電源・ＧＮＤを全てのパネル駆動回路の半導体集積回路に直接供給することができる。
【００７９】
したがって、確実に、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができる。
【００８０】
また、本発明の表示装置は、上記課題を解決するために、液晶パネルに、請求項４に記載の表示装置におけるパネル駆動回路又は請求項６に記載の表示装置におけるパネル駆動回路を複数個搭載し、画像信号は１段目のパネル駆動回路における第一段目半導体集積回路に入力されるとともに、この画像信号は２段目以降のパネル駆動回路には第１１ののパネル駆動回路端子から表示パネルにおけるパネル配線を経由して他のパネル駆動回路における第５のパネル駆動回路端子にそれぞれ入力される一方、電源・ＧＮＤはそれぞれのパネル駆動回路に直接入力されていることを特徴としている。
【００８１】
上記の発明によれば、液晶パネルに、請求項４に記載の表示装置におけるパネル駆動回路又は請求項６に記載の表示装置におけるパネル駆動回路を複数個搭載するという全体構成のパネル駆動回路群を形成することができる。
【００８２】
また、画像信号は１段目のパネル駆動回路における第一段目半導体集積回路に入力される。そして、この画像信号は２段目以降のパネル駆動回路には第１１のパネル駆動回路端子から表示パネルにおけるパネル配線を経由して他のパネル駆動回路における第５のパネル駆動回路端子にそれぞれ入力される一方、電源・ＧＮＤはそれぞれのパネル駆動回路に直接入力されている。
【００８３】
このため、請求項４に記載の表示装置におけるパネル駆動回路又は請求項６に記載の表示装置における１段目のパネル駆動回路の第一段目半導体集積回路に画像信号を入力し、電源・ＧＮＤはそれぞれのパネル駆動回路に直接入力するという全体構成のパネル駆動回路群を形成することができる。
【００８４】
また、本発明の表示装置は、上記課題を解決するために、表示パネルに、請求項５に記載の表示装置における第３のパネル駆動回路又は請求項６に記載の表示装置における第３のパネル駆動回路を１段目に搭載し、１段目以降には請求項５又は６に記載の表示装置における第３のパネル駆動回路と、第４のパネル駆動回路とを繰り返し搭載するとともに、
上記第４のパネル駆動回路は、複数の半導体集積回路を備え、かつ第１２のパネル駆動回路端子から画像信号が入力されるものであり、上記第４のパネル駆動回路では、上記第１２のパネル駆動回路端子から入力される画像信号の画像信号配線が第一段目半導体集積回路に接続されているとともに、上記第一段目半導体集積回路に入力された画像信号が、自己転送機能により上記第一段目半導体集積回路から出力され、その出力された画像信号が第二段目半導体集積回路に入力されている一方、上記画像信号が入力される第１２のパネル駆動回路端子からの画像信号配線の片側に、電源・ＧＮＤを入力するための第１３のパネル駆動回路端子とこの第１３のパネル駆動回路端子からの電源・ＧＮＤ入力配線とが設けられ、かつこの電源・ＧＮＤ入力配線は、第一段目半導体集積回路に接続され、パネル駆動回路内で第一段目半導体集積回路の外側に引き回され、第二段目半導体集積回路に入力され、さらに、パネル駆動回路内で第二段目半導体集積回路の外側に引き回され、第１４のパネル駆動回路端子まで延長され、表示パネルに接続されており、画像信号は１段目のパネル駆動回路における第一段目半導体集積回路に入力されるとともに、この画像信号は２段目以降のパネル駆動回路には第１１または第１５のパネル駆動回路端子から表示パネルにおけるパネル配線を経由して他のパネル駆動回路における第５または第１２のパネル駆動回路端子にそれぞれ入力される一方、電源・ＧＮＤは、請求項５又は６に記載の表示装置における第３のパネル駆動回路から入力され、第４のパネル駆動回路に接続されていることを特徴としている。
【００８５】
上記の発明によれば、表示パネルに、請求項５に記載の表示装置における第３のパネル駆動回路又は請求項６に記載の表示装置における第３のパネル駆動回路を１段目に搭載し、２段目以降には請求項５又は６に記載の表示装置における第３のパネル駆動回路と、第４のパネル駆動回路とを繰り返し搭載するという全体構成のパネル駆動回路群を形成することができる。
【００８６】
そして、画像信号は１段目のパネル駆動回路における第一段目半導体集積回路に入力されるとともに、この画像信号は２段目以降のパネル駆動回路には第１１または第１５のパネル駆動回路端子から表示パネルにおけるパネル配線を経由して他のパネル駆動回路における第５または第１２のパネル駆動回路端子にそれぞれ入力される一方、電源・ＧＮＤは、請求項５又は６に記載の表示装置における第３のパネル駆動回路から入力され、第４のパネル駆動回路に接続されている。
【００８７】
このため、画像信号及び電源・ＧＮＤを効率よく各パネル駆動回路に供給することができる。
【００８８】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができる。
【００８９】
また、本発明の表示装置では、上記記載の表示装置において、画像信号は、ＲＧＢ信号であることを特徴としている。
【００９０】
上記発明によれば、ＲＧＢ信号について効率よく各パネル駆動回路に供給することができる。
【００９１】
【発明の実施の形態】
〔実施の形態１〕
本発明の実施の一形態について図１ないし図６に基づいて説明すれば、以下の通りである。なお、本実施の形態では、表示装置として、液晶表示装置について説明するが、必ずしもこれに限らず、例えば、ＰＤＰ（Plasma Display Panel) やＥＬ(Electro Luminesence) 等の表示装置であってもよい。また、以下の説明においては、画像信号としてＲＧＢ信号を例示して説明するが、これに限るものではなく、例えば、ＣＭＹ（シアン・マゼンタ・イエロー）信号、輝度信号又は階調信号であってもよい。
【００９２】
本実施の形態の液晶表示装置は、図１に示すように、液晶パネル１には４枚のソースＣＯＦ(Chip On Film)１０・２０・３０・４０と１枚のゲートＣＯＦ５０とが接続されている。ただし、上記ゲートＣＯＦ５０は複数であってもよい。
【００９３】
上記ソースＣＯＦ１０・２０・３０・４０は、２種類のタイプのＣＯＦを用いており、ソースＣＯＦ１０・３０については、図２に示すタイプのものを使用する一方、ソースＣＯＦ２０・４０については、図３に示すタイプのものを使用している。
【００９４】
上記４枚のソースＣＯＦ１０・２０・３０・４０と液晶パネル１とは、図示しない異方性導電接着剤にて一括圧着されている。また、ソースＣＯＦ１０・３０は、ＦＰＣ(Flexible Printed Circuits）２とコネクタ３・３によって接続されている。
【００９５】
次に、上記ソースＣＯＦ１０・３０におけるＣＯＦ配線構造について、上記図２に基づいて説明する。なお、ここではソースＣＯＦ１０について、説明する。
【００９６】
同図に示すように、ソースＣＯＦ１０には、同図において上側にはコネクタ接続を行う入力端子列１１が設けられており、同図において下側には表示パネルとしての上記液晶表示パネル１との接続を行う出力端子列１２が設けられている。
【００９７】
また、同図における中央部にはＩＣ（Integrated Circuit：半導体集積回路）チップ１３が接続されるようになっており、その周囲はレジスト１４にてコートすることによって外部と絶縁されている。なお、同図における斜線部がレジスト１４を示す。
【００９８】
本実施の形態の配線パターンは、大きく５種類の配線構成からなっており、同一種類の配線は略並列に配置される。先ず、同図に示す電源・ＧＮＤ入力配線としてのＧＮＤ／電源入力配線Ａは入力端子列１１の最も左側に位置し、このＧＮＤ／電源入力配線ＡがＩＣチップ１３に接続され、さらに、ＩＣチップ１３の外側に引き回され、出力端子列１２までそのＧＮＤ／電源入力配線Ａを延長し、前記液晶表示パネル１と接続される構造となっている。なお、ＩＣチップ１３での引き回し配線は、図４に示すように、一部がＩＣチップ１３の下側に配設されるものとなっている。
【００９９】
このＧＮＤ／電源入力配線Ａには、電源・ＧＮＤとしてのＧＮＤ／電源Ｓ２が入力され、これをＩＣチップ１３及び出力端子列１２に供給する。
【０１００】
次いで、図２に示す他方電源・ＧＮＤ入力配線としての他方ＧＮＤ／電源入力配線Ｂは、入力端子列１１の最も右側に位置し、ＩＣチップ１３に接続することなく出力端子列１２までその他方電源・ＧＮＤ入力配線Ｂを延長し、液晶表示パネル１と接続される構造となっている。この他方電源・ＧＮＤ入力配線Ｂには、ソースＣＯＦ１０の場合、ゲート電源／ゲート信号が入力される一方、ソースＣＯＦ３０の場合にはＧＮＤ／電源Ｓ２が入力され、出力端子列１２に電源／信号等を供給するようになっている。
【０１０１】
次いで、同図に示す画像信号配線としてのＲＧＢ信号配線Ｃは、入力端子列１１の中央に位置し、このＲＧＢ信号配線ＣがＩＣチップ１３の下部を引き回し、ＩＣチップ１３に接続され、さらに、ＩＣチップ１３の外側に引き回されて、出力端子列１２までそのＲＧＢ信号配線Ｃを延長し、前記液晶表示パネル１と接続される構造となっている。このＲＧＢ信号配線Ｃには、ソースＣＯＦ１０の場合、入力端子列１１側からＲＧＢ等の信号が入力される一方、ソースＣＯＦ３０の場合には、出力端子列１２からＲＧＢ等の信号が入力される。なお、ソースＣＯＦ３０の場合、入力端子列１１からの信号入力はない。
【０１０２】
次いで、同図に示す中継配線Ｄは、ＩＣチップ１３と出力端子列１２とを結ぶ配線となっている。この中継配線Ｄには、ＩＣチップ１３からのＲＧＢ等の信号が出力され、この中継配線Ｄを通して出力端子列１２にその信号を供給するようになっている。
【０１０３】
次いで、同図に示すパネル信号出力配線Ｅでは、ＩＣチップ１３と出力端子列１２とを結ぶ配線がなされている。このパネル信号出力配線Ｅには、ＩＣチップ１３から前記液晶表示パネル１への出力信号が出力され、このパネル信号出力配線Ｅを通して出力端子列１２に信号が供給されるようになっている。
【０１０４】
次に、前記ソースＣＯＦ２０・４０に使用したＣＯＦ配線構造を、図３に基づいて説明する。なお、ソースＣＯＦ２０・４０は、同じ構造であるので、ソースＣＯＦ２０についてのみ説明する。
【０１０５】
先ず、同図の下側に示すように、ソースＣＯＦ２０には、前記液晶表示パネル１との接続を行う出力端子列２２が存在するが、前記図２に示す入力端子列１１は存在しない。
【０１０６】
また、同図における中央部には、ＩＣチップ２３が接続されるとともに、ＩＣチップ２３の周囲はレジスト２４でコートされ、外部と絶縁されている。
【０１０７】
ソースＣＯＦ２０の配線パターンは、大きく４種類の配線構成からなっており、同一種類の配線は略並列に配置されている。
【０１０８】
同図におけるＧＮＤ／電源入力配線Ａは、出力端子列２２の左右最外周に配置され、ＩＣチップ２３が配される部分の同図において右上側の各端子Ａ１・Ａ１・Ａ１にて左右の配線がつながっており、ＩＣチップ２３の下部でも引き回すことにより、このＧＮＤ／電源入力配線ＡはＩＣチップ２３とも接続されている。このＧＮＤ／電源入力配線Ａには、ＧＮＤ／電源Ｓ２が入力され、これをＩＣチップ２３に供給するようになっている。
【０１０９】
次に、同図に示すＲＧＢ信号配線Ｃは、ＩＣチップ２３と出力端子列２２とを結ぶ配線である。このＲＧＢ信号配線Ｃには、出力端子列２２からＲＧＢ等の信号が出力され、ＩＣチップ２３に信号を供給するようになっている。
【０１１０】
次に、同図に示す中継配線Ｄは、ＩＣチップ２３と出力端子列２２とを結ぶ他方の配線である。この中継配線Ｄには、ＩＣチップ２３から前記液晶表示パネル１への出力信号が出力され、出力端子列２２に信号を供給するようになっている。
【０１１１】
以上の構成を有するソースＣＯＦ１０・２０・３０・４０よる電気的な接続の流れを、図１〜図５に基づいて説明する。
【０１１２】
先ず、図１に示すように、ゲート側への電源／信号は、図２に示すソースＣＯＦ１０の他方ＧＮＤ／電源入力配線Ｂの入力端子列１１から入力され、図５に示すように、出力端子列１２からパネル配線１ａを経由して、図１に示すように、ゲートＣＯＦ５０に接続される。
【０１１３】
次に、ソース側のＲＧＢ信号Ｓ１は、図２にも示すソースＣＯＦ１０のＲＧＢ信号配線Ｃの入力端子列１１から入力され、ＩＣチップ１３に入力される。さらにこの信号は、図１に示すように、ＩＣチップ１３から出力され前記中継配線Ｄより出力端子列１２に出力される。
【０１１４】
ここで、図５に示すように、隣接する各ソースＣＯＦ１０・２０・３０・４０の間は各パネル配線１ａ…により接続されているので、ソースＣＯＦ１０の上記中継配線Ｄから出力された信号は、ソースＣＯＦ２０の上記ＲＧＢ信号配線Ｃに入力される（図３参照）。このＲＧＢ信号配線Ｃを中継配線Ｄを通してソースＣＯＦ３０・４０と連続させることにより、ＲＧＢ信号はソースＣＯＦ１０から順次ソースＣＯＦ４０まで伝送される。なお、図１に示すように、ソースＣＯＦ３０の入力端子列３１にはＲＧＢ信号配線Ｃを入力する必要はない。
【０１１５】
一方、ソースへのＧＮＤ／電源Ｓ２の入力は、図１に示すコネクタ３・３を介してソースＣＯＦ１０の上記ＧＮＤ／電源入力配線Ａ及びソースＣＯＦ３０のＧＮＤ／電源入力配線Ａから入力される（図２参照）。ソースＣＯＦ１０・３０のＧＮＤ／電源入力配線Ａに入力されたＧＮＤ／電源Ｓ２は、ＩＣチップ１３・３３にＧＮＤ／電源Ｓ２を供給し、かつ、出力端子列１２・３２からパネル配線１ａを経由して各同図において左に隣接する各ソースＣＯＦ２０・４０にＧＮＤ／電源Ｓ２をそれぞれ供給する。また、図５に示すように、ソースＣＯＦ３０の他方ＧＮＤ／電源入力配線Ｂに入力されたＧＮＤ／電源Ｓ３は、出力端子列３２からパネル配線１ａを経由して同図において右に隣接するソースＣＯＦ２０にＧＮＤ／電源Ｓ３を供給する。したがって、ソースＣＯＦ２０は、ソースＣＯＦ１０・３０の両方からＧＮＤ／電源Ｓ２・Ｓ３を受けることができるものとなっている。この理由は、同図においては、ソースＣＯＦ２０は、１個であるが、必ずしもこれに限らず、ソースＣＯＦ１０及びソースＣＯＦ３０の間に、複数のソースＣＯＦ２０…を挿入することが可能であるためである。このように、複数のソースＣＯＦ２０…を搭載したときに、近い方のソースＣＯＦ１０又はソースＣＯＦ３０からＧＮＤ／電源Ｓ２・Ｓ３を受けることになるので、抵抗が小さい配線からＧＮＤ／電源Ｓ２・Ｓ３の供給を受けることができるものとなる。
【０１１６】
以上の構成によると、比較的高抵抗で伝送可能なＲＧＢ信号Ｓ１は、ソースＣＯＦ１０の一か所からの信号入力でよい。逆に、低抵抗で接続する必要のある、ＧＮＤ／電源Ｓ２は、複数箇所からの入力を必要としかつそれが可能となっている。なお、本実施の形態では、ソースＣＯＦ２０・４０は、各々１個で説明しているが、接続抵抗及びパネル配線１ａの許す限り、上述したように、複数個のソースＣＯＦ２０…及びソースＣＯＦ４０…を配置することができる。
【０１１７】
具体的には、信号伝送実験の結果によると、ソースＣＯＦ２０の場所には３個のＣＯＦを配置することができる一方、ソースＣＯＦ４０の場所には、２個のＣＯＦを配置することができる。また、液晶表示パネル１の精細度が上がり、さらに多くのＣＯＦを搭載する必要がある場合は、ＧＮＤ／電源Ｓ２を安定させるために、ソースＣＯＦ３０を複数個搭載することもできる。この結果、従来必要であった回路基板（ＰＷＢ: Printed Wiring Board）を完全に廃止することができ、数ヶ所のＣＯＦへの入力のみでモジュールを構成することができる。また、ソースＣＯＦ１０・３０は、同じ形状のものを使用することができるので、装置上の制約も少ない。
【０１１８】
このように、本実施の形態の液晶表示装置では、図６及び図２に示すように、ＲＧＢ信号Ｓ１をＩＣチップ１３に入力し、かつ、そのＩＣチップ１３から該ＲＧＢ信号Ｓ１を出力する機能を有する自己転送機能付半導体集積回路をフレキシブルフィルム上にボンディングしたチップオンフィルム構造の前記ソースＣＯＦ１０等を複数個備えている。
【０１１９】
ここで、本実施の形態では、外部からＲＧＢ信号Ｓ１が入力される第１のパネル駆動回路としてのソースＣＯＦ１０が設けられている。
【０１２０】
このソースＣＯＦ１０では、先ず、外部からのＲＧＢ信号Ｓ１が入力されるＲＧＢ信号配線ＣはＩＣチップ１３に接続される。また、そのＲＧＢ信号配線Ｃは、パネル駆動回路用端子群としての出力端子列１２の内の一つのパネル駆動回路用端子まで延長されて上記液晶表示パネル１に接続されている。これにより、外部から入力されるＲＧＢ信号Ｓ１をＩＣチップ１３に入力できるとともに、出力端子列１２のパネル駆動回路用端子を介して液晶表示パネル１に出力することができる。このことは、外部から入力されるＲＧＢ信号Ｓ１を、ソースＣＯＦ１０のＩＣチップ１３に入力するとともに、ソースＣＯＦ１０の右側に隣接する他のパネル駆動回路に接続できることを意味する。
【０１２１】
一方、このソースＣＯＦ１０では、ＩＣチップ１３に入力された外部からのＲＧＢ信号Ｓ１は、自己転送機能によりＩＣチップ１３から出力され、その出力されたＲＧＢ信号Ｓ１が出力端子列１２の内の一つのパネル駆動回路端子から液晶表示パネル１に接続されている。このことは、外部から入力されるＲＧＢ信号Ｓ１を、ソースＣＯＦ１０の左側に隣接する他のパネル駆動回路である前記ソースＣＯＦ２０に接続できることを意味する。
【０１２２】
この結果、ソースＣＯＦ１０では、ＲＧＢ信号Ｓ１を外部から入力してＩＣチップ１３に入力させるとともに、このソースＣＯＦ１０の左右に隣接するソースＣＯＦのＩＣチップのいずれにもＲＧＢ信号Ｓ１を出力できることになる。このため、外部回路基板を用いなくても、ＲＧＢ信号Ｓ１を隣接するソースＣＯＦ１０・２０・３０・４０間同士で入出力していくことによって、各ソースＣＯＦ１０・２０・３０・４０にＲＧＢ信号Ｓ１を供給することができる。これにより、このソースＣＯＦ１０を数カ所に搭載することによって、他のパネル駆動回路にＲＧＢ信号を供給することができる。
【０１２３】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る液晶表示装置を提供することができる。
【０１２４】
また、本実施の形態の液晶表示装置においては、図２に示すように、ソースＣＯＦ１０では、ＲＧＢ信号配線Ｃの少なくとも片側に、外部からのＧＮＤ／電源Ｓ２を入力するためのＧＮＤ／電源入力配線Ａが配設されてＩＣチップ１３に接続されているとともに、ＧＮＤ／電源入力配線Ａは、ソースＣＯＦ１０内でＩＣチップ１３の外側に引き回され、さらに出力端子列１２の内の一つのパネル駆動回路端子まで延長されて前記液晶表示パネル１に接続されている。
【０１２５】
このため、このソースＣＯＦ１０にて、ＧＮＤ／電源Ｓ２を外部から入力して、ＩＣチップ１３に供給することができる。また、外部からのＧＮＤ／電源入力配線Ａは、ソースＣＯＦ１０内でＩＣチップ１３の外側に引き回され、さらに出力端子列１２の内の一つのパネル駆動回路端子まで延長されて液晶表示パネル１に接続されているので、液晶表示パネル１のパネル配線１ａを通して隣接するソースＣＯＦ２０のＩＣチップ２３にＧＮＤ／電源Ｓ２を供給することができる。
【０１２６】
これにより、このソースＣＯＦ１０を数カ所に搭載することによって、他のソースＣＯＦ２０等にＧＮＤ／電源Ｓ２を供給することができる。そして、このような接続方法であれば、低抵抗で配線する必要のあるＧＮＤ／電源Ｓ２においても、問題なく配線することができる。
【０１２７】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る液晶表示装置を提供することができる。
【０１２８】
また、本実施の形態の液晶表示装置においては、図２に示すように、ソースＣＯＦ１０では、ＲＧＢ信号配線Ｃの他の片側にも、外部からのＧＮＤ／電源Ｓ３を入力するための他方ＧＮＤ／電源入力配線Ｂが配設されているとともに、この他方ＧＮＤ／電源入力配線Ｂは、ＩＣチップ１３に入力されることなく、出力端子列１２の内の一つのパネル駆動回路端子まで延長されて液晶表示パネル１に接続されている。
【０１２９】
このため、他方ＧＮＤ／電源入力配線Ｂは、ＩＣチップ１３に入力されることなく、出力端子列１２の内の一つのパネル駆動回路端子まで延長されて前記液晶表示パネル１に接続されているので、この他方ＧＮＤ／電源入力配線Ｂを用いて、隣接するゲートＣＯＦ５０にＧＮＤ／電源Ｓ３を供給することができる。
【０１３０】
また、本実施の形態の液晶表示装置では、図３に示すように、ＲＧＢ信号Ｓ１が出力端子列２２の内の一つのパネル駆動回路端子から入力される第２のパネル駆動回路としてのソースＣＯＦ２０が設けられている。
【０１３１】
このソースＣＯＦ２０では、出力端子列２２の内の一つのパネル駆動回路端子から入力されるＲＧＢ信号Ｓ１のＲＧＢ信号配線ＣがＩＣチップ２３に接続されている。したがって、隣接するソースＣＯＦ１０から出力されたＲＧＢ信号Ｓ１を当該ソースＣＯＦ２０に入力してＩＣチップ２３に入力させることができる。
【０１３２】
一方、ＩＣチップ２３に入力されたＲＧＢ信号Ｓ１が、自己転送機能によりＩＣチップ２３から出力され、その出力されたＲＧＢ信号Ｓ１が出力端子列２２の内の一つのパネル駆動回路端子まで延びて液晶表示パネル１に接続されている。
【０１３３】
このため、一方の側のソースＣＯＦ１０から入力されたＲＧＢ信号Ｓ１を自己転送機能を用いて他方の側のソースＣＯＦに供給することができる。
【０１３４】
さらに、本実施の形態では、ＲＧＢ信号Ｓ１が入力される出力端子列２２の内の一つのパネル駆動回路端子からのＲＧＢ信号配線Ｃの片側に、ＧＮＤ／電源Ｓ２を入力するための出力端子列２２の内の一つのパネル駆動回路端子とこの一つのパネル駆動回路端子からのＧＮＤ／電源入力配線Ａとが設けられ、かつこのＧＮＤ／電源入力配線Ａは、ＩＣチップ２３に接続され、さらに、ソースＣＯＦ２０内でＩＣチップ２３の外側に引き回され、出力端子列２２の内の一つのパネル駆動回路端子まで延長され、前記液晶表示パネル１に接続されている。
【０１３５】
このため、一方の側のソースＣＯＦ１０から入力されたＧＮＤ／電源Ｓ２をこのソースＣＯＦ２０に入力するとともに、他方の側のソースＣＯＦに供給することができる。この結果、ソースＣＯＦ１０等の間に搭載するソースＣＯＦとして使用することにより、全体として全ての液晶表示パネル１のソースＣＯＦとして成立させることができる。
【０１３６】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る液晶表示装置を提供することができる。
【０１３７】
また、本実施の形態では、画像信号は、ＲＧＢ信号Ｓ１である。したがって、ＲＧＢ信号Ｓ１について効率よく各ソースＣＯＦ１０・２０・３０４０に供給することができる。
【０１３８】
〔実施の形態２〕
本発明の他の実施の形態について図７ないし図１１に基づいて説明すれば、以下の通りである。なお、説明の便宜上、前記の実施の形態１の図面に示した部材と同一の機能を有する部材については、同一の符号を付し、その説明を省略する。また、前記実施の形態１で述べた各種の特徴点については、本実施の形態についても組み合わせて適用し得るものとする。
【０１３９】
本実施の形態の液晶表示装置では、図７に示すように、第３のパネル駆動回路としてのソースＣＯＦ１００は、複数である２個の半導体集積回路としてのＩＣチップ１０１・１０２を備えている。このため、各自己転送機能付半導体集積回路の両者間の接続においては、ソースＣＯＦ１００内で配線を引き回さなくても、最短距離にて接続することが可能である。したがって、ソースＣＯＦ１００内の複数のＩＣチップ１０１・１０２における接続抵抗を小さくすることができる。また、ソースＣＯＦ１００が２個の半導体集積回路としてのＩＣチップ１０１・１０２を備えていることによって、１個のＩＣチップを備えたものに比べて、液晶表示パネル１と接続する端子数を削減することができるので、高精細化にも対応することができる。
【０１４０】
また、本実施の形態では、外部からのＲＧＢ信号Ｓ１が入力されるＲＧＢ信号配線Ｃは第一段目半導体集積回路としてのＩＣチップ１０１に接続されているので、このソースＣＯＦ１００により、外部からＲＧＢ信号Ｓ１を入力することができる。
【０１４１】
さらに、本実施の形態では、ＩＣチップ１０１に入力された外部からのＲＧＢ信号Ｓ１が、自己転送機能によりＩＣチップ１０１から出力され、その出力されたＲＧＢ信号Ｓ１がＩＣチップ１０２に入力されている。このため、ＩＣチップ１０１及びＩＣチップ１０２を介して自己転送機能により隣接するソースＣＯＦにＲＧＢ信号Ｓ１を供給することが可能となる。
【０１４２】
一方、本実施の形態では、外部からのＲＧＢ信号Ｓ１が入力されるＲＧＢ信号配線Ｃの片側に、外部からのＧＮＤ／電源Ｓ２を入力するためのＧＮＤ／電源入力配線Ａが設けられ、かつこのＧＮＤ／電源入力配線Ａは、ＩＣチップ１０１に接続され、さらに、ソースＣＯＦ１００内でＩＣチップ１０１の外側に引き回されてＩＣチップ１０２に入力されている。
【０１４３】
したがって、このソースＣＯＦ１００により、外部からＧＮＤ／電源Ｓ２を入力することができるとともに、この入力されたＧＮＤ／電源Ｓ２をＩＣチップ１０１及びＩＣチップ１０２に供給することができる。
【０１４４】
また、本実施の形態の液晶表示装置においては、図８に示すように、ソースＣＯＦ１００では、ＩＣチップ１０１に入力されたＲＧＢ信号配線Ｃは、出力端子列１１１の内の一つのパネル駆動回路出力端子まで延長されて前記液晶表示パネル１に接続されている。
【０１４５】
このため、ＩＣチップ１０１に近いソースＣＯＦにもＲＧＢ信号Ｓ１を供給することができる。
【０１４６】
また、本実施の形態の液晶表示装置においては、図９に示すように、ソースＣＯＦ１５０では、ＲＧＢ信号配線Ｃの他の片側にも、外部からのＧＮＤ／電源Ｓ３を入力するための他方ＧＮＤ／電源入力配線Ｂが配設されているとともに、他方ＧＮＤ／電源入力配線Ｂは、ＩＣチップ１０１に入力されることなく、出力端子列１１１の内の一つのパネル駆動回路端子まで延長されて前記液晶表示パネル１に接続されている。
【０１４７】
このため、外部からのＧＮＤ／電源Ｓ２を入力するための他方ＧＮＤ／電源入力配線Ｂは、ＩＣチップ１０１に入力されることなく、出力端子列３２の内の一つのパネル駆動回路端子まで延長されて液晶表示パネル１に接続されているので、この他方ＧＮＤ／電源入力配線Ｂを用いて、隣接する前記ゲートＣＯＦ５０にＧＮＤ／電源Ｓ２を供給することができる。
【０１４８】
また、本実施の形態の液晶表示装置においては、図１０に示すように、第４のパネル駆動回路としてのソースＣＯＦ２００は複数個としての２個のＩＣチップ２０１・２０２を備えている。このため、各自己転送機能付半導体集積回路の両者間の接続においては、ソースＣＯＦ２００内に配線を引き回さなくても、最短距離にて接続することが可能である。したがって、ソースＣＯＦ２００内の２個のＩＣチップ２０１・２０２における接続抵抗を小さくすることができる。また、ソースＣＯＦ２００が２個の半導体集積回路としてのＩＣチップ２０１・２０２を備えていることによって、１個のＩＣチップを備えたものに比べて、液晶表示パネル１と接続する端子数を削減することができるので、高精細化にも対応することができる。
【０１４９】
また、本実施の形態においては、ソースＣＯＦ２００では、出力端子列２１１の内の一つのパネル駆動回路端子から入力されるＲＧＢ信号Ｓ１のＲＧＢ信号配線ＣがＩＣチップ２０１に接続されているとともに、ＩＣチップ２０１に入力されたＲＧＢ信号Ｓ１が、自己転送機能によりＩＣチップ２０１から出力され、その出力されたＲＧＢ信号Ｓ１がＩＣチップ２０２に入力されている。
【０１５０】
このため、ＩＣチップ２０１に入力されたＲＧＢ信号Ｓ１をＩＣチップ２０２に供給することができる。
【０１５１】
一方、本実施の形態では、ＲＧＢ信号Ｓ１が入力される出力端子列２１１の内の一つのパネル駆動回路端子からのＲＧＢ信号配線Ｃの片側に、ＧＮＤ／電源Ｓ２を入力するための出力端子列２１１の内の一つのパネル駆動回路端子とこの一つのパネル駆動回路端子からのＧＮＤ／電源入力配線Ａとが設けられ、かつこのＧＮＤ／電源入力配線Ａは、ＩＣチップ２０１に接続され、さらに、ソースＣＯＦ２００内でＩＣチップ２０１の外側に引き回され、ＩＣチップ２０２に入力され、さらに、ソースＣＯＦ２００内でＩＣチップ２０２の外側に引き回され、出力端子列２１１の内の一つのパネル駆動回路端子まで延長され、前記液晶表示パネル１に接続されている。
【０１５２】
このため、ソースＣＯＦ２００内において、ＧＮＤ／電源Ｓ２をＩＣチップ２０１及びＩＣチップ２０２に供給することができ、さらに、ＩＣチップ２０２側に隣接するソースＣＯＦにもＧＮＤ／電源Ｓ２を供給することが可能となる。
【０１５３】
また、本実施の形態の液晶表示装置では、図１１に示すように、それぞれのＩＣチップ１０１・１０２及びＩＣチップ２０１・２０２の搭載位置を平面において段違いにずらすことにより、ＩＣチップ１０１・１０２及びＩＣチップ２０１・２０２の横並び状態よりもソースＣＯＦの横幅を小さくしたソースＣＯＦ２５０とすることが可能となっている。
【０１５４】
このため、モジュールサイズの縮小及び軽量化を実現し得る液晶表示装置を提供することができる。
【０１５５】
〔実施の形態３〕
本発明の他の実施の形態について図１２ないし図１５に基づいて説明すれば、以下の通りである。なお、説明の便宜上、前記の実施の形態１及び実施の形態２の図面に示した部材と同一の機能を有する部材については、同一の符号を付し、その説明を省略する。また、前記実施の形態１及び実施の形態２で述べた各種の特徴点については、本実施の形態についても組み合わせて適用し得るものとする。
【０１５６】
本実施の形態では、複数のソースＣＯＦの組み合わせについて、説明する。
【０１５７】
先ず、最初のパターンは、図１２に示すように、前記実施の形態１にて示した各１個のＩＣチップを搭載したソースＣＯＦ１０とソースＣＯＦ２０…を複数個搭載したパネル駆動回路群３００である。
【０１５８】
このパネル駆動回路群３００では、ＲＧＢ信号Ｓ１は１段目のソースＣＯＦ１０に入力されるとともに、このＲＧＢ信号Ｓ１は２段目以降のソースＣＯＦ２０…には出力端子列１２の内のパネル駆動回路端子から液晶表示パネル１におけるパネル配線１ａを経由して他のソースＣＯＦ２０における出力端子列２２の内のパネル駆動回路端子にそれぞれ接続入力される一方、ＧＮＤ／電源Ｓ２はそれぞれのソースＣＯＦ１０及びソースＣＯＦ２０…に直接入力されている。
【０１５９】
このため、ソースＣＯＦ１０からＲＧＢ信号Ｓ１及びＧＮＤ／電源Ｓ２を入力することができる。
【０１６０】
次に、他のパターンとして、前記実施の形態１の図１に示したものが挙げられる。
【０１６１】
この液晶表示装置では、液晶表示パネル１に、図２に示すソースＣＯＦを一段目に搭載し、２段目以降には図３に示すソースＣＯＦを１個又は複数個搭載し、これ以降、図２に示すソースＣＯＦと図３に示すソースＣＯＦとを繰り返し搭載したものとなっている。
【０１６２】
具体的には、図１に示すように、ソースＣＯＦ１０・２０・３０・４０を搭載したものとなっている。そして、ＲＧＢ信号Ｓ１は、１段目のソースＣＯＦ１０に入力されるとともに、このＲＧＢ信号Ｓ１は、２段目以降のソースＣＯＦ２０・３０・４０には出力端子列２２・３２・４２の内のパネル駆動回路端子から液晶表示パネル１におけるパネル配線１ａを経由して他のソースＣＯＦ２０・３０・４０における出力端子列２２・３２・４２の内のパネル駆動回路端子にそれぞれ接続入力される。
【０１６３】
一方、ＧＮＤ／電源Ｓ２は、ソースＣＯＦ１０・３０に直接入力されて、ソースＣＯＦ２０・４０に接続されている。
【０１６４】
このため、ソースＣＯＦ１０・２０とソースＣＯＦ３０・４０とを繰り返し搭載することによって、ＲＧＢ信号Ｓ１及びＧＮＤ／電源Ｓ２を全てのソースＣＯＦ１０・２０・３０・４０のＩＣチップ１３・２３・３３・４３に供給することができる。
【０１６５】
したがって、確実に、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る液晶表示装置を提供することができる。
【０１６６】
また、他のパターンとしては、図１３に示すように、各２個のＩＣチップ１０１・１０２を搭載する前記図７に示すソースＣＯＦ又はこれを段違いにした前記図１１に示すソースＣＯＦを複数個搭載したものである。具体的には、図１３に示すように、ソースＣＯＦ２５０…を複数個搭載するという全体構成のパネル駆動回路群３１０を形成することができる。このパネル駆動回路群３１０では、ＲＧＢ信号Ｓ１及びＧＮＤ／電源Ｓ２は、それぞれのソースＣＯＦ２５０…に直接入力されている。
【０１６７】
このため、ＲＧＢ信号Ｓ１及びＧＮＤ／電源Ｓ２を全てのソースＣＯＦ２５０…のＩＣチップ１０１・１０２に直接供給することができる。
【０１６８】
したがって、確実に、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る液晶表示装置を提供することができる。
【０１６９】
また、さらに他のパターンとしては、図１４に示すように、各２個のＩＣチップ１０１・１０２を搭載する前記図８に示すソースＣＯＦ又はこれを段違いにした前記図１１に示すソースＣＯＦを複数個搭載したものである。具体的には、図１４に示すように、液晶表示パネル１に、ソースＣＯＦ２５０及びソースＣＯＦ２６０…を複数個搭載するという全体構成のパネル駆動回路群３２０を形成することができる。このパネル駆動回路群３２０では、前記パネル駆動回路群３１０に対して、ＲＧＢ信号Ｓ１の入力方法が異なっている。
【０１７０】
すなわち、このパネル駆動回路群３２０では、ＲＧＢ信号Ｓ１は、１段目のソースＣＯＦ２５０の前記ＩＣチップ１０１に入力される。そして、このＲＧＢ信号Ｓ１は２段目以降のソースＣＯＦ２６０…には出力端子列の内のパネル駆動回路端子から液晶表示パネル１におけるパネル配線１ａを経由して他のソースＣＯＦ２６０…における出力端子列の内のパネル駆動回路端子にそれぞれ接続入力される。一方、ＧＮＤ／電源Ｓ２はそれぞれのソースＣＯＦ２６０…に直接入力されている。
【０１７１】
さらに、他のパターンとしては、図１５に示すように、前記図９に示すソースＣＯＦ１５０又はこれを段違いにした前記図１１に示すソースＣＯＦを一段目に搭載し、２段目以降には前記図１０に示すソースＣＯＦ２００又はこれを段違いにした前記図１１に示すソースＣＯＦを１個又は複数個搭載し、これ以降、前記図８に示すソースＣＯＦ１００又はこれを段違いにした前記図１１に示すソースＣＯＦと前記図１０に示すソースＣＯＦ２００又はこれを段違いにした前記図１１に示すソースＣＯＦとを繰り返し搭載したものとすることができる。
【０１７２】
具体的には、図１５に示すように、ソースＣＯＦ１５０とソースＣＯＦ２００とソースＣＯＦ１００とを組み合わせたパネル駆動回路群３３０とすることが可能である。
【０１７３】
このパネル駆動回路群３３０では、ＲＧＢ信号Ｓ１は１段目のソースＣＯＦ１５０における前記ＩＣチップ１０１に入力される。そして、このＲＧＢ信号Ｓ１は２段目以降のソースＣＯＦ２００には、出力端子列１１１の内のパネル駆動回路端子から液晶表示パネル１におけるパネル配線１ａを経由して他のソースＣＯＦ２００における出力端子列２１１のパネル駆動回路端子にそれぞれ接続入力される。一方、ＧＮＤ／電源Ｓ２は、ソースＣＯＦ１５０・１００から入力され、ソースＣＯＦ２００・２００に接続されている。
【０１７４】
このため、ＲＧＢ信号Ｓ１及びＧＮＤ／電源Ｓ２を効率よく各ソースＣＯＦ１５０・２００・１００・２００に供給することができる。
【０１７５】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る液晶表示装置を提供することができる。
【０１７６】
【発明の効果】
本発明の表示装置は、以上のように、外部から画像信号が入力される第１のパネル駆動回路が設けられるとともに、上記第１のパネル駆動回路では、上記外部からの画像信号が入力される画像信号配線が半導体集積回路に接続され、かつ、その画像信号配線は第１のパネル駆動回路端子まで延長されて第１のパネル駆動回路端子を介して表示パネルに接続されている一方、上記半導体集積回路に入力された外部からの画像信号は、自己転送機能により上記半導体集積回路から出力され、その出力された画像信号が、第１のパネル駆動回路端子とは異なる第２のパネル駆動回路端子を介して、表示パネルに出力されるものである。
【０１７７】
それゆえ、外部から入力される画像信号を、半導体集積回路に入力できるとともに、第１のパネル駆動回路端子を介して表示パネルに出力することができる。このことは、外部から入力される画像信号を、第１のパネル駆動回路の半導体集積回路に入力するとともに、第１のパネル駆動回路の例えば右側に隣接する他のパネル駆動回路に接続できることを意味する。
【０１７８】
一方、この第１のパネル駆動回路では、半導体集積回路に入力された外部からの画像信号は、自己転送機能により上記半導体集積回路から出力され、その出力された画像信号が、第１のパネル駆動回路端子とは異なる第２のパネル駆動回路端子を介して、表示パネルに出力される。このことは、外部から入力される画像信号を、第１のパネル駆動回路の例えば左側に隣接する他のパネル駆動回路に接続できることを意味する。
【０１７９】
この結果、第１のパネル駆動回路では、画像信号を外部から入力して半導体集積回路に入力させるとともに、この第１のパネル駆動回路の左右に隣接するパネル駆動回路における半導体集積回路のいずれにも画像信号を出力できることになる。このため、外部回路基板を用いなくても、画像信号を隣接するパネル駆動回路間同士で入出力していくことによって、各パネル駆動回路に画像信号を供給することができる。これにより、この第１のパネル駆動回路を数カ所に搭載することによって、他のパネル駆動回路に画像信号を供給することができる。
【０１８０】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができるという効果を奏する。
【０１８１】
また、本発明の表示装置は、上記記載の表示装置において、第１のパネル駆動回路では、画像信号配線の少なくとも片側に、外部からの電源・ＧＮＤを入力するための電源・ＧＮＤ入力配線が配設されて半導体集積回路に接続されているとともに、上記電源・ＧＮＤ入力配線は、パネル駆動回路内で半導体集積回路の外側に引き回され、さらに第３のパネル駆動回路端子まで延長されて表示パネルに接続されているものである。
【０１８２】
それゆえ、この第１のパネル駆動回路にて、電源・ＧＮＤを外部から入力して、半導体集積回路に供給することができる。また、外部からの電源・ＧＮＤ入力配線は、パネル駆動回路内で半導体集積回路の外側に引き回され、さらに第３のパネル駆動回路端子まで延長されて表示パネルに接続されているので、表示パネルの例えばパネル配線を通して隣接するパネル駆動回路の半導体集積回路に電源・ＧＮＤを供給することができる。
【０１８３】
これにより、この第１のパネル駆動回路を数カ所に搭載することによって、他のパネル駆動回路に電源・ＧＮＤを供給することができる。そして、このような接続方法であれば、低抵抗で配線する必要のある電源・ＧＮＤにおいても、問題なく配線することができる。
【０１８４】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができるという効果を奏する。
【０１８５】
また、本発明の表示装置は、上記記載の表示装置において、第１のパネル駆動回路では、画像信号配線の片方の側に、外部からの電源・ＧＮＤを入力するための他方電源・ＧＮＤ入力配線が配設されているとともに、上記他方電源・ＧＮＤ入力配線は、半導体集積回路に入力されることなく、第４のパネル駆動回路端子まで延長されて表示パネルに接続されているものである。
【０１８６】
それゆえ、他方電源・ＧＮＤ入力配線は、半導体集積回路に入力されることなく、パネル駆動回路端子群の内の一つのパネル駆動回路端子まで延長されて表示パネルに接続されているので、この他方電源・ＧＮＤ入力配線を用いて、隣接する例えばゲート用のパネル駆動回路に電源・ＧＮＤを供給することができるという効果を奏する。
【０１８７】
また、本発明の表示装置は、以上のように、複数の半導体集積回路を備え、かつ外部から画像信号が入力される第３のパネル駆動回路が設けられるとともに、上記第３のパネル駆動回路では、上記外部からの画像信号が入力される画像信号配線は第一段目半導体集積回路に接続されているとともに、上記第一段目半導体集積回路に入力された外部からの画像信号が、自己転送機能により上記第一段目半導体集積回路から出力され、その出力された画像信号が第二段目半導体集積回路に入力されている一方、上記外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に接続されており、第一段目半導体集積回路に接続された画像信号配線は、第５のパネル駆動回路端子まで延長されて表示パネルに接続されているものである。
【０１８８】
それゆえ、第３のパネル駆動回路は、複数の半導体集積回路を備えている。このため、各自己転送機能付半導体集積回路の両者間の接続においては、第３のパネル駆動回路内で配線を引き回さなくても、最短距離にて接続することが可能である。したがって、第３のパネル駆動回路内の複数の半導体集積回路における接続抵抗を小さくすることができる。また、第３のパネル駆動回路が複数の半導体集積回路を備えていることによって、１個の半導体集積回路を備えたものに比べて、表示パネルと接続する端子数を削減することができるので、高精細化にも対応することができる。
【０１８９】
また、本発明では、外部からの画像信号が入力される画像信号配線は第一段目半導体集積回路に接続されている。このため、この第３のパネル駆動回路により、外部から画像信号を入力することができる。
【０１９０】
さらに、本発明では、第一段目半導体集積回路に入力された外部からの画像信号が、自己転送機能により上記第一段目半導体集積回路から出力され、その出力された画像信号が第二段目半導体集積回路に入力されている。このため、第一段目半導体集積回路及び第二段目半導体集積回路を介して自己転送機能により隣接するパネル駆動回路に画像信号を供給することが可能となる。
【０１９１】
一方、本発明では、外部からの画像信号が入力される画像信号配線の片側に、外部からの電源・ＧＮＤを入力するための電源・ＧＮＤ入力配線が設けられ、かつこの電源・ＧＮＤ入力配線は、第一段目半導体集積回路に接続され、さらに、パネル駆動回路内で第一段目半導体集積回路の外側に引き回されて第二段目半導体集積回路に入力されている。
【０１９２】
したがって、この第３のパネル駆動回路により、外部から電源・ＧＮＤを入力することができるとともに、この入力された電源・ＧＮＤを第一段目半導体集積回路及び第一段目半導体集積回路に供給することができるという効果を奏する。
【０１９３】
さらに、上記の発明では、上記第３のパネル駆動回路では、第一段目半導体集積回路に入力された画像信号配線は、第５のパネル駆動回路出力端子まで延長されて表示パネルに接続されているものである。それゆえ、第一段目半導体集積回路に近いパネル駆動回路にも画像信号を供給することができるという効果を奏する。
【０１９４】
また、本発明の表示装置は、上記記載の表示装置において、第３のパネル駆動回路では、画像信号配線の他の片側にも、外部からの電源・ＧＮＤを入力するための他方電源・ＧＮＤ入力配線が配設されているとともに、他方電源・ＧＮＤ入力配線は、第一段目半導体集積回路に入力されることなく、パネル駆動回路端子群の内の一つのパネル駆動回路端子まで延長されて表示パネルに接続されているものである。
【０１９５】
それゆえ、外部からの電源・ＧＮＤを入力するための他方電源・ＧＮＤ入力配線は、第一段目半導体集積回路に入力されることなく、第６のパネル駆動回路端子まで延長されて表示パネルに接続されているので、この他方電源・ＧＮＤ入力配線を用いて、隣接する例えばゲート用のパネル駆動回路に電源・ＧＮＤを供給することができるという効果を奏する。
【０１９６】
また、本発明の表示装置は、上記記載の表示装置において、それぞれの第一段目半導体集積回路及び第二段目半導体集積回路の搭載位置を平面において段違いにずらすことにより、第一段目半導体集積回路及び第二段目半導体集積回路の横並び状態よりもパネル駆動回路の横幅を小さくしたものである。
【０１９７】
それゆえ、モジュールサイズの縮小及び軽量化を実現し得る表示装置を提供することができるという効果を奏する。
【０１９８】
また、本発明の表示装置は、以上のように、表示パネルに、請求項１、２又は３記載の表示装置におけるパネル駆動回路を複数個搭載し、画像信号は１段目のパネル駆動回路に入力されるとともに、この画像信号は２段目以降のパネル駆動回路には第２のパネル駆動回路端子から表示パネルにおけるパネル配線を経由して他のパネル駆動回路における第１のパネル駆動回路端子にそれぞれ入力される一方、電源・ＧＮＤはそれぞれのパネル駆動回路に直接入力されているものである。
【０１９９】
それゆえ、請求項１、２又は３記載の表示装置におけるパネル駆動回路を複数個搭載した全体構成のパネル駆動回路群を形成することができるという効果を奏する。
【０２００】
また、本発明の表示装置は、以上のように、表示パネルに、請求項３に記載の表示装置における第１のパネル駆動回路を１段目に搭載し、２段目以降には、上記画像信号が第７のパネル駆動回路端子から入力される第２のパネル駆動回路を１個又は複数個搭載し、これ以降、第１のパネル駆動回路と第２のパネル駆動回路とを繰り返し搭載するとともに、上記第２のパネル駆動回路では、第７のパネル駆動回路端子から入力される画像信号の画像信号配線が半導体集積回路に接続されているとともに、上記半導体集積回路に入力された画像信号が、自己転送機能により上記半導体集積回路から出力され、その出力された画像信号の画像信号配線が第８のパネル駆動回路端子まで延びて表示パネルに接続されているとともに、上記画像信号が入力される第７のパネル駆動回路端子からの画像信号配線の片側に、電源・ＧＮＤを入力するための第９のパネル駆動回路端子とこの第９のパネル駆動回路端子からの電源・ＧＮＤ入力配線とが設けられ、かつこの電源・ＧＮＤ入力配線は、半導体集積回路に接続され、さらに、パネル駆動回路内で半導体集積回路の外側に引き回され、第１０のパネル駆動回路端子まで延長され、表示パネルに接続されており、画像信号は１段目のパネル駆動回路に入力されるとともに、この画像信号は２段目以降のパネル駆動回路には第８または第２のパネル駆動回路端子から表示パネルにおけるパネル配線を経由して他のパネル駆動回路における第１または第７のパネル駆動回路端子にそれぞれ入力される一方、電源・ＧＮＤは請求項３に記載の表示装置における第１のパネル駆動回路に直接入力されて、第２のパネル駆動回路に接続されているものである。
【０２０１】
それゆえ、表示パネルに、請求項３に記載の表示装置におけるパネル駆動回路を１段目に搭載し、２段目以降には第２のパネル駆動回路を１個又は複数個搭載し、これ以降、請求項３に記載の表示装置における第１のパネル駆動回路と第２のパネル駆動回路とを繰り返し搭載するという全体構成のパネル駆動回路群を形成することができる。
【０２０２】
このため、請求項３に記載の表示装置における第１のパネル駆動回路と第２のパネル駆動回路とを繰り返し搭載することによって、画像信号及び電源・ＧＮＤを全てのパネル駆動回路の半導体集積回路に供給することができる。
【０２０３】
したがって、確実に、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができるという効果を奏する。
【０２０４】
また、本発明の表示装置は、以上のように、表示パネルに、請求項４又は６に記載の表示装置におけるパネル駆動回路を複数個搭載し、画像信号及び電源・ＧＮＤは、それぞれのパネル駆動回路に直接入力されているものである。
【０２０５】
それゆえ、表示パネルに、請求項４又は６に記載の表示装置におけるパネル駆動回路を複数個搭載するという全体構成のパネル駆動回路群を形成することができる。
【０２０６】
また、画像信号及び電源・ＧＮＤは、それぞれのパネル駆動回路に直接入力されている。このため、画像信号及び電源・ＧＮＤを全てのパネル駆動回路の半導体集積回路に直接供給することができる。
【０２０７】
したがって、確実に、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができるという効果を奏する。
【０２０８】
また、本発明の表示装置は、以上のように、液晶パネルに、請求項４に記載の表示装置におけるパネル駆動回路又は請求項６に記載の表示装置におけるパネル駆動回路を複数個搭載し、画像信号は１段目のパネル駆動回路における第一段目半導体集積回路に入力されるとともに、この画像信号は２段目以降のパネル駆動回路には第１１ののパネル駆動回路端子から表示パネルにおけるパネル配線を経由して他のパネル駆動回路における第５のパネル駆動回路端子にそれぞれ入力される一方、電源・ＧＮＤはそれぞれのパネル駆動回路に直接入力されているものである。
【０２０９】
それゆえ、液晶パネルに、請求項４に記載の表示装置におけるパネル駆動回路又は請求項６に記載の表示装置におけるパネル駆動回路を複数個搭載するという全体構成のパネル駆動回路群を形成することができる。
【０２１０】
また、画像信号は１段目のパネル駆動回路における第一段目半導体集積回路に入力される。そして、この画像信号は２段目以降のパネル駆動回路には第１１のパネル駆動回路端子から表示パネルにおけるパネル配線を経由して他のパネル駆動回路における第５のパネル駆動回路端子にそれぞれ入力される一方、電源・ＧＮＤはそれぞれのパネル駆動回路に直接入力されている。
【０２１１】
このため、請求項４に記載の表示装置におけるパネル駆動回路又は請求項６に記載の表示装置における１段目のパネル駆動回路の第一段目半導体集積回路に画像信号を入力し、電源・ＧＮＤはそれぞれのパネル駆動回路に直接入力するという全体構成のパネル駆動回路群を形成することができるという効果を奏する。
【０２１２】
また、本発明の表示装置は、以上のように、表示パネルに、請求項５に記載の表示装置における第３のパネル駆動回路又は請求項６に記載の表示装置における第３のパネル駆動回路を１段目に搭載し、１段目以降には請求項５又は６に記載の表示装置における第３のパネル駆動回路と、第４のパネル駆動回路とを繰り返し搭載するとともに、
上記第４のパネル駆動回路は、複数の半導体集積回路を備え、かつ第１２のパネル駆動回路端子から画像信号が入力されるものであり、上記第４のパネル駆動回路では、上記第１２のパネル駆動回路端子から入力される画像信号の画像信号配線が第一段目半導体集積回路に接続されているとともに、上記第一段目半導体集積回路に入力された画像信号が、自己転送機能により上記第一段目半導体集積回路から出力され、その出力された画像信号が第二段目半導体集積回路に入力されている一方、上記画像信号が入力される第１２のパネル駆動回路端子からの画像信号配線の片側に、電源・ＧＮＤを入力するための第１３のパネル駆動回路端子とこの第１３のパネル駆動回路端子からの電源・ＧＮＤ入力配線とが設けられ、かつこの電源・ＧＮＤ入力配線は、第一段目半導体集積回路に接続され、パネル駆動回路内で第一段目半導体集積回路の外側に引き回され、第二段目半導体集積回路に入力され、さらに、パネル駆動回路内で第二段目半導体集積回路の外側に引き回され、第１４のパネル駆動回路端子まで延長され、表示パネルに接続されており、画像信号は１段目のパネル駆動回路における第一段目半導体集積回路に入力されるとともに、この画像信号は２段目以降のパネル駆動回路には第１１または第１５のパネル駆動回路端子から表示パネルにおけるパネル配線を経由して他のパネル駆動回路における第５または第１２のパネル駆動回路端子にそれぞれ入力される一方、電源・ＧＮＤは、請求項５又は６に記載の表示装置における第３のパネル駆動回路から入力され、第４のパネル駆動回路に接続されているものである。
【０２１３】
それゆえ、表示パネルに、請求項５に記載の表示装置における第３のパネル駆動回路又は請求項６に記載の表示装置における第３パネル駆動回路を１段目に搭載し、２段目以降には請求項５又は６に記載の表示装置における第３のパネル駆動回路と、第４のパネル駆動回路とを繰り返し搭載するという全体構成のパネル駆動回路群を形成することができる。
【０２１４】
そして、画像信号は１段目のパネル駆動回路における第一段目半導体集積回路に入力されるとともに、この画像信号は２段目以降のパネル駆動回路には第１１または第１５のパネル駆動回路端子から表示パネルにおけるパネル配線を経由して他のパネル駆動回路における第５または第１２のパネル駆動回路端子にそれぞれ入力される一方、電源・ＧＮＤは、請求項５又は６に記載の表示装置における第３のパネル駆動回路から入力され、第４のパネル駆動回路に接続されている。
【０２１５】
このため、画像信号及び電源・ＧＮＤを効率よく各パネル駆動回路に供給することができる。
【０２１６】
したがって、ＰＷＢ等の複雑な外部回路基板を無くすとともに、配線の高抵抗化及びそれを原因とする信号の伝搬遅延を解消することができ、ひいてはモジュールサイズの縮小及び軽量化を実現し得る表示装置を提供することができるという効果を奏する。
【０２１７】
また、本発明の表示装置では、上記記載の表示装置において、画像信号は、ＲＧＢ信号である。
【０２１８】
それゆえ、ＲＧＢ信号について効率よく各パネル駆動回路に供給することができるという効果を奏する。
【図面の簡単な説明】
【図１】  本発明における液晶表示装置の実施の一形態を示す平面図である。
【図２】  上記液晶表示装置のソースＣＯＦを示す平面図である。
【図３】  上記液晶表示装置の他のソースＣＯＦを示す平面図である。
【図４】  上記液晶表示装置のソースＣＯＦを示す断面図である。
【図５】  上記ソースＣＯＦを複数個並べた状態の液晶表示装置を示す平面図である。
【図６】  上記液晶表示装置の他のソースＣＯＦを示す平面図である。
【図７】  本発明における液晶表示装置の他の実施の形態を示す平面図である。
【図８】  上記液晶表示装置の他のソースＣＯＦを示す平面図である。
【図９】  上記液晶表示装置のさらに他のソースＣＯＦを示す平面図である。
【図１０】  上記液晶表示装置のさらに他のソースＣＯＦを示す平面図である。
【図１１】  上記液晶表示装置のさらに他のソースＣＯＦを示す平面図である。
【図１２】  本発明における液晶表示装置のさらに他の実施の形態を示す平面図である。
【図１３】  上記液晶表示装置の他のソースＣＯＦ群を示す平面図である。
【図１４】  上記液晶表示装置のさらに他のソースＣＯＦ群を示す平面図である。
【図１５】  上記液晶表示装置のさらに他のソースＣＯＦ群を示す平面図である。
【図１６】  従来の液晶表示装置を示すものであり、（ａ）は斜視図、（ｂ）は要部斜視図である。
【図１７】  他の従来の液晶表示装置を示す平面図である。
【図１８】  さらに他の従来の液晶表示装置を示す平面図である。
【図１９】  ＴＣＰの構造を示す断面図である。
【図２０】  さらに他の従来の液晶表示装置を示すものであり、（ａ）は斜視図、（ｂ）は要部斜視図である。
【符号の説明】
１    液晶表示パネル（表示パネル）
１ａ  パネル配線
２    ＦＰＣ
３    コネクタ
１０    ソースＣＯＦ（第１のパネル駆動回路）
１１    入力端子列
１２    出力端子列（パネル駆動回路用端子群）
１３    ＩＣチップ（半導体集積回路）
２０    ソースＣＯＦ（第２のパネル駆動回路）
２２    出力端子列（パネル駆動回路端子群）
２３    ＩＣチップ（半導体集積回路）
３３    ＩＣチップ（半導体集積回路）
４３    ＩＣチップ（半導体集積回路）
５０    ゲートＣＯＦ
１００    ソースＣＯＦ
１０１    ＩＣチップ（半導体集積回路、第一段目半導体集積回路）
１０２    ＩＣチップ（半導体集積回路、第二段目半導体集積回路）
Ａ    ＧＮＤ／電源入力配線（電源・ＧＮＤ入力配線）
Ｂ    他方ＧＮＤ／電源入力配線（他方電源・ＧＮＤ入力配線）
Ｃ    ＲＧＢ信号配線（画像信号配線）
Ｄ    中継配線
Ｅ    パネル信号出力配線
Ｓ１  ＲＧＢ信号（画像信号）
Ｓ２  ＧＮＤ／電源（電源・ＧＮＤ）
【図１】
0003923271.tif 000002
【図２】
0003923271.tif 000003
【図３】
0003923271.tif 000004
【図４】
0003923271.tif 000005
【図５】
0003923271.tif 000006
【図６】
0003923271.tif 000007
【図７】
0003923271.tif 000008
【図８】
0003923271.tif 000009
【図９】
0003923271.tif 000010
【図１０】
0003923271.tif 000011
【図１１】
0003923271.tif 000012
【図１２】
0003923271.tif 000013
【図１３】
0003923271.tif 000014
【図１４】
0003923271.tif 000015
【図１５】
0003923271.tif 000016
【図１６】
0003923271.tif 000017
【図１７】
0003923271.tif 000018
【図１８】
0003923271.tif 000019
【図１９】
0003923271.tif 000020
【図２０】
0003923271.tif 000021